(57)【要約】      （修正有）【課題】強固な組立が可能な物置棚の改良構造を提供する。【解決手段】物置棚の改良構造は、底部と、結合部材と、縁枠とを備え、底部の周縁から同一側の上方に向けて細棒状を呈する複数個の支持部材が延出され、各支持部材と底部により、バスケット構造が形成される。結合部材３には、複数個の貫通孔が設けられ、支持部材２を、一対一に対応して貫通孔に貫通させ、各支持部材の末端には、それぞれ外径が貫通孔よりも大きい阻止ブロック２１が設けられる。縁枠４は、収容室を包囲して管状に形成され、縁枠の一側に沿って開口が設けられ、開口の両側にそれぞれ収容室に向けて延びるフック部が設けられる。支持部材２の末端及び結合部材３は、開口を介して縁枠の収容室内に延入し、縁枠４は、フック部により結合部材を各支持部材の阻止ブロックに緊密に当接させる。【選択図】図４
0003204189.tif 000002
【実用新案登録請求の範囲】
【請求項１】
底部と、結合部材と、縁枠とを備える物置棚の改良構造であって、
前記底部の周縁から細棒状を呈する複数個の支持部材が延出され、各前記支持部材が前記底部の周縁から同一側の上方に向けて延び、各前記支持部材と前記底部の配置により、バスケット構造が形成され、
前記結合部材には、複数個の貫通孔が設けられ、かつ前記複数個の支持部材を、一対一に対応して前記複数個の貫通孔に個別に貫通させ、各前記支持部材の末端には、それぞれ外径が前記貫通孔よりも大きい阻止ブロックが設けられ、
前記縁枠は、収容室を包囲して管状に形成され、前記縁枠の一側に沿って開口が設けられ、かつ前記縁枠は、前記開口の両側にそれぞれ前記収容室に向けて延びるフック部が設けられ、各前記支持部材の末端及び前記結合部材は、前記開口を介して前記縁枠の前記収容室内に延入し、かつ前記縁枠は、前記フック部により前記結合部材を各前記支持部材の各前記阻止ブロックに緊密に当接させることを特徴とする、
物置棚の改良構造。
【請求項２】
前記底部には、交差状を呈する複数本の棒体を有し、これにより物置きのための構造が構成され、かつ各前記棒体の前記底部の周縁に位置する部分は、前記支持部材に形成されることを特徴とする、請求項１に記載の物置棚の改良構造。
【請求項３】
前記阻止ブロックは、前記支持部材の末端を押しつぶして形成されることを特徴とする、請求項１に記載の物置棚の改良構造。
【請求項４】
前記縁枠を押圧することで、前記フック部を移動させることによって、前記フック部により前記結合部材を各前記支持部材の各前記阻止ブロックに緊密に当接させることを特徴とする、請求項１に記載の物置棚の改良構造。
【考案の詳細な説明】
【技術分野】
【０００１】
本考案は、物置棚に係り、特に硬式網状の物置棚に関するものである。
【背景技術】
【０００２】
図１に従来の物置棚を示す。これは縦横交錯を呈する複数本の硬い棒５１から構成される物置のためのバスケットであり、バスケットの強固性を保持するために、前記複数本の硬い棒５１の末端５２を縁枠５３で箍締めし、かつ各硬い棒５１の末端５２は、それぞれ前記縁枠５３によって相互に固定される。
【０００３】
この従来の物置棚は、日常用品として構造が簡単で、かつ販売価格が安いため、コストを低減する配慮のもとに、通常、前記縁枠５３のみを簡単に各硬い棒５１の末端５２と固定している。
このため、各硬い棒５１の末端５２が前記縁枠５３上に固定されるが、通常は、各硬い棒５１の末端５２が前記縁枠５３から突出して尖刺針状に形成され、使用者にけがを負わせるのみならず、外観上もあまり美観がよくない。
【０００４】
一方、各硬い棒５１の末端５２は、それぞれ前記縁枠５３と接着剤または半田付けなどの固定方式で接合する必要があり、部品点数が多量になるため、時間、手間がかかってしまう欠点につながると同時に、ミスの発生機会も比較的高くなり、製品の歩留まりに影響を与える。
【０００５】
以上に鑑み、如何にしてこれらの問題点を改進するかが、本考案が解決しようとする主要な課題である。
【考案の概要】
【考案が解決しようとする課題】
【０００６】
本考案の主な目的は、結合部材により各支持部材が直列連結されると共に、縁枠で前記結合部材を挟持固定して、迅速に組み付け効果を有する、物置棚を提供することにある。
なお、前記縁枠は、各支持部材をその中に覆い隠すことできるため、使用上の安全性の向上及び美観の向上を図ることができる。
【課題を解決するための手段】
【０００７】
本考案は、前述した目的を達成するために、底部と、結合部材と、縁枠とを備える物置棚の改良構造を提供し、底部の周縁から細棒状を呈する複数個の支持部材が延出され、各前記支持部材が前記底部の周縁から上方に向けて延び、前記底部と各支持部材の配置により、バスケット構造が形成され、結合部材には、複数個の貫通孔が設けられ、かつ前記複数個の支持部材を、一対一に対応して前記複数個の貫通孔に個別に貫通させ、各支持部材の末端には、それぞれ外径が前記貫通孔よりも大きい阻止ブロックが設けられ、縁枠は、収容室を包囲して管状に形成され、前記縁枠の一側に沿って開口が設けられ、かつ前記縁枠は、前記開口の両側には、それぞれ前記収容室に向けて延びるフック部が設けられ、各前記支持部材の末端及び前記結合部材は、前記開口を介して前記縁枠の収容室内に延入し、かつ前記縁枠は、前記フック部により前記結合部材を各前記支持部材の各前記阻止ブロックに緊密に当接させる。
【０００８】
一実施例において、前記底部には、交差状を呈する複数本の棒体を有し、これにより物置きのための構造が構成され、かつ各棒体の前記底部の周縁に位置する部分は、前記支持部材に形成される。
【０００９】
一実施例において、前記阻止ブロックは、前記支持部材の末端を押しつぶして形成される。
【００１０】
一実施例において、前記縁枠を押圧することで、前記フック部を移動させることによって、前記フック部により前記結合部材を各支持部材の阻止ブロックに緊密に当接させる。
【考案の効果】
【００１１】
本考案の上記の目的と利点は、下記に選択される実施例の詳細な説明と添付図面内から深い理解を得ることができる。
【図面の簡単な説明】
【００１２】
【図１】従来構造の斜視模式図である。
【図２】本考案の斜視模式図である。
【図３】本考案の斜視分解模式図である。
【図３ａ】本考案の縁枠の断面模式図である。
【図３ｂ】本考案の結合部材の断面模式図である。
【図４】本考案の組み合せ方式の動作状態模式図である。
【図５】本考案の組み合せ方式の動作状態模式図である。
【図６】本考案の組み合せ方式の動作状態模式図である。
【考案を実施するための形態】
【００１３】
以下、図面を参照して本考案を説明する。図２、図３に示されるものは、本考案が提供する物置棚である。
本考案の物置棚は、物置のために用いられる底部１を備え、本実施例において、前記底部１には、複数本の棒体１１を有し、各棒体１１は、縦横交錯方式で平面網状構造に構成されている。各棒体１１の両端は、前記底部１の周縁から延びる部分が支持部材２として定義され、かつ各支持部材２は折曲して前記底部１の上方に向けて延びる。このため、各支持部材２と前記底部１の配置により、バスケット構造が形成される。
【００１４】
上記に続いて、図３に示すように、前記底部１の同一側に位置する支持部材２上に結合部材３が設けられる。前記結合部材３は、図３ｂに示すように、長条状を呈し、その長辺両側は、それぞれ第１翼部３１として定められ、その内、２つの第１翼部３１は、下向きの湾弧状に形成される。
前記結合部材３上に沿って各支持部材２に対応する複数個の貫通孔３２が設けられ、そして前記結合部材３は、その貫通孔３２が一対一に各支持部材２に対応するように組み込まれ、各支持部材２の末端を前記結合部材３の貫通孔３２を貫通させてから、図４に示すように、各支持部材２の末端を押しつぶすことで、平扁状の阻止ブロック２１が形成される。その内、前記阻止ブロック２１は、その外径が前記貫通孔３２よりも大きい程度まで押しつぶされ、前記結合部材３は、前記阻止ブロック２１で前記貫通孔３２の孔縁に止着されて各支持部材２から離脱しないようにする。
【００１５】
また、前記結合部材３上に縁枠４が装設され、これにより各支持部材２が連結されている。本実施例において、前記縁枠４は方形枠体であり、かつ図３ａに示すように、前記縁枠４は、収容室４１を包囲して管状に形成され、かつ前記縁枠４の底部に沿って開口４２が設けられる。前記縁枠４の前記開口４２の両側は、第２翼部４３として定められるように形成され、かつ前記第２翼部４３は、それぞれ前記収容室４１に向けてフック部４４が延出される。
【００１６】
図４、図５に示すように、前記縁枠４を下向きに前記結合部材３と箝合させ、その内、各支持部材２の末端及び前記結合部材３は、前記開口４２を介して前記収容室４１内に延入し、かつ前記縁枠４の２つの第２翼部４３は、前記結合部材３の２つの第１翼部３１の外側に延びる。
続いて、前記縁枠４の２つの第２翼部４３を押しつぶすことにより、それらを変形させて相互に近接させると、２つのフック部４４は、それに伴って前記結合部材３の２つの第１翼部３１の下方に移動する。このとき、前記開口４２の口径を、前記結合部材３の幅よりも小さくなるまで縮径させれば、前記結合部材３が前記開口４２から抜け出ないようになっている。
【００１７】
さらに、図６に示すように、２つの第２翼部４３の底端を上向きに押しつぶすことにより、それらを変形させると、２つのフック部４４を上向きに移動させると共に、前記結合部材３の２つの第１翼部３１上に当接させる。このとき、前記結合部材３を上向きに押動するが、前記貫通孔３２が前記支持部材２の阻止ブロック２１よりも小さいため、前記結合部材３は、前記阻止ブロック２１に係止される。これによって、前記縁枠４は、前記フック部４４により前記結合部材３を各支持部材２の阻止ブロック２１に緊密に当接させることで、前記縁枠４、前記結合部材３と各支持部材２を相対固定状態に形成する。
【００１８】
本考案は、前述した構造及び組み付け方式により、各支持部材２の末端を、いずれも前記縁枠４の裏面に覆い隠すことができるので、前記縁枠４は、円滑な表面に保たれ、使用上の不注意による打ち傷を免れることができる。
同時に、本考案により整理整頓が可能となり、外観全体が簡単で、製品の装飾性を向上させることができる。
また、本考案は、前記結合部材３を利用して前記底部１の同一側に位置する各支持部材２が直列連結され、それから前記縁枠４により前記結合部材３を挟持固定する。これにより全部の支持部材２を一度に固定することで本考案の組み付けが完成し、組み付けの作業時間を短縮する効果がある。
【００１９】
以上に開示された実施例は、本考案を説明するためのものにすぎず、本考案を制限するものではないため、同等効果を有する構成要素の置き換えは、本考案の範疇に属するものと解釈されるべきである。
【００２０】
以上のように、本考案は前述した目的を確実に達成でき、当該技術を熟知する者に明確に理解され、実用新案登録の出願要件を満たしているめ、法に基づき出願する次第である。
【符号の説明】
【００２１】
１    底部
１１  棒体
２    支持部材
２１  阻止ブロック
３    結合部材
３１  第１翼部
３２  貫通孔
４    縁枠
４１  収容室
４２  開口
４３  第２翼部
４４  フック部
【図１】
0003204189.tif 000003
【図２】
0003204189.tif 000004
【図３】
0003204189.tif 000005
【図３ａ】
0003204189.tif 000006
【図３ｂ】
0003204189.tif 000007
【図４】
0003204189.tif 000008
【図５】
0003204189.tif 000009
【図６】
0003204189.tif 000010